(57)【要約】【課題】セットされたプラテンに適切な処理を行うことができる処理装置、またはプラテンを提供すること。【解決手段】前処理装置１０及び後処理装置５の少なくとも一方と印刷装置１とで使用されるプラテン６にはプラテン６を識別するプラテン識別情報部が設けられている。コードリーダ２７，３５，８５は、プラテン識別情報部からプラテン６を識別するプラテン識別情報を受け付ける。前処理装置１０及び後処理装置５の少なくとも一方と印刷装置１は、コードリーダ２７，３５，８５で受け付けたプラテン識別情報に基づき処理を行う。【選択図】図１
2019209587.tif 000002
【特許請求の範囲】
【請求項１】
前処理装置及び後処理装置の少なくとも一方である関連装置と印刷装置とで使用されるプラテンに設けられたプラテン識別情報部から、前記プラテンを識別するプラテン識別情報を受け付ける第一受付部と、
前記第一受付部で受け付けた前記プラテン識別情報に基づき、前記関連装置または前記印刷装置における処理を行う第一処理部と
を備えたことを特徴とする処理装置。
【請求項２】
前記第一受付部は、前記印刷装置における印刷内容と、前記関連装置における処理内容の少なくともいずれかと関連づいた前記プラテン識別情報を受け付け、
前記第一処理部は、前記プラテン識別情報に関連づいた処理内容を行うこと
を特徴とする請求項１に記載の処理装置。
【請求項３】
前記プラテンにセットされる印刷媒体の印刷媒体情報を受け付ける第二受付部と、
前記第一受付部に対して前記第二受付部と同じ側の位置に設けられ、前記プラテン識別情報部から、前記プラテン識別情報を受け付ける第三受付部と、
前記第二受付部及び前記第三受付部が接続された第一制御部と、
を備え、
前記第一制御部は、
前記第三受付部が受け付けた前記プラテン識別情報と前記第二受付部が受け付けた前記印刷媒体情報とを関連づける関連付け処理を行うこと
を特徴とする請求項２に記載の処理装置。
【請求項４】
前記第一受付部は、前記プラテンに関するプラテン情報を含む前記プラテン識別情報を受け付け、
前記第一受付部で受け付けた前記プラテン識別情報に含まれる前記プラテン情報に基づき、前記関連装置または前記印刷装置における処理を行う第二処理部を備えること
を特徴とする請求項１〜３の何れかに記載の処理装置。
【請求項５】
前記第三受付部は、前記プラテンに関するプラテン情報を含む前記プラテン識別情報を受け付け、
前記第一制御部は、前記第二受付部で受け付けた前記印刷媒体情報と前記第三受付部で受け付けた前記プラテン識別情報とに基づき、前記関連装置または前記印刷装置における処理の実施を判断すること
を特徴とする請求項３に記載の処理装置。
【請求項６】
前記第二受付部は、前記印刷媒体情報として、印刷サイズを受け付け、
前記第三受付部は、前記プラテンに関するプラテン情報として、プラテンサイズを受け付け、
前記第一制御部は、前記印刷サイズが前記プラテンサイズよりも大きい場合は、エラー処理を行うこと
を特徴とする請求項３又は５に記載の処理装置。
【請求項７】
前記第一処理部は、前記第一受付部が、前記印刷媒体情報と関連づけられていない前記プラテン識別情報を受け付けた場合、前記関連装置または前記印刷装置における処理を行わないことを特徴とする請求項３、５、又は６の何れかに記載の処理装置。
【請求項８】
前記第一処理部は、
前記関連装置または前記印刷装置における処理において、エラーが発生した場合には、前記プラテン識別情報にエラー情報を関連づけるエラー関連付け処理を行い、
前記第一受付部が、前記エラー情報と関連づけられている前記プラテン識別情報を受け付けた場合、前記関連装置または前記印刷装置における処理を行わないこと
を特徴とする請求項１〜６の何れかに記載の処理装置。
【請求項９】
前記第一処理部は、前記関連装置、及び前記印刷装置における処理が終了した場合に、前記印刷媒体情報の前記プラテン識別情報に対する関連付けを削除する削除処理を行うことを特徴とする請求項３、５、及び６のいずれかに記載の処理装置。
【請求項１０】
前記第一受付部は、前記プラテンを前記印刷装置及び前記関連装置間で搬送する搬送装置により搬送される前記プラテンから前記プラテン識別情報を受け付けることを特徴とする請求項１〜８のいずれかに記載の処理装置。
【請求項１１】
前記プラテンの高さを検出する高さ検出部を備え、
前記第一処理部は、
前記プラテン識別情報と、前記高さ検出部が検出した前記高さに基づく高さ情報とを関連づける高さ関連付け処理を行うことを特徴とする請求項１から１０のいずれかに記載の処理装置。
【請求項１２】
前記第一処理部は、前記高さ検出部が検出した前記高さが所定の範囲内でない場合、前記関連装置または前記印刷装置における処理を行わないことを特徴とする請求項１１に記載の処理装置。
【請求項１３】
前記印刷装置の制御部は、前記高さ検出部が検出した高さに基づいて、前記プラテンの高さを調整する高さ調整処理を行うことを特徴とする請求項１１に記載の処理装置。
【請求項１４】
前記第二受付部が前記印刷媒体情報を受け付けた場合に、前記第一制御部は、前記印刷装置で使用される印刷データを作成する印刷データ作成指示を行うことを特徴とする請求項３、５、及び６の何れかに記載の処理装置。
【請求項１５】
前記印刷装置の制御部は、前記第一受付部が受け付けた前記プラテン識別情報により、前記印刷データを取得する印刷データ取得処理を行うことを特徴とする請求項１４に記載の処理装置。
【請求項１６】
前記第一制御部は、前記第三受付部から前記印刷媒体情報を取得できない場合に、前記関連付け処理において、前記プラテン識別情報に対して、入力データ記憶部を関連づけ、
前記印刷装置の制御部は、前記第一受付部が受け付けた前記プラテン識別情報に関連づけられた前記入力データ記憶部に入稿された印刷データに基づく印刷を行うこと
を特徴とする請求項３、５、６、及び１４の何れかに記載の処理装置。
【請求項１７】
前処理装置及び後処理装置の少なくとも一方である関連装置と印刷装置とで使用されるプラテンであって、
前記関連装置または前記印刷装置の処理対象である印刷媒体がセットされる板と、
前記プラテンに設けられたプラテン識別情報部と、
を備え、
前記プラテン識別情報部は、前記関連装置または前記印刷装置における処理と関連づき、前記プラテンを識別するプラテン識別情報を示すこと
を特徴とするプラテン。
【発明の詳細な説明】
【技術分野】
【０００１】
本発明は、処理装置及びプラテンに関する。
【背景技術】
【０００２】
印刷処理の前に前処理を行うインクジェット捺染装置が知られている（例えば、特許文献１参照）。特許文献１に記載のインクジェット捺染装置は、捺染実行部と前処理部とを備えている。前処理部は、捺染実行部による被捺染材へのインクの吐出に先立って、被捺染材の皺伸ばし処理を行う。また、前処理部は、被捺染材への前処理剤としてのコート液の付着処理等の他の処理も行う。
【先行技術文献】
【特許文献】
【０００３】
【特許文献１】特開２０１３−１９０８３号公報
【発明の概要】
【発明が解決しようとする課題】
【０００４】
特許文献１に記載のインクジェット捺染装置では、前処理部での前処理時に、所定のプラテンでない、例えば所定のサイズでないプラテン、又は所定の高さでないプラテンが用いられると、プラテンにセットされた被捺染材への前処理の不良が生じる可能性がある。前処理の不良が生じると、捺染処理時に被捺染材に滲み等の捺染不良が生じる可能性がある。また、捺染実行部での捺染処理時に、所定のプラテンでない、例えば所定のサイズでないプラテン、又は所定の高さでないプラテンが用いられると、所定の捺染条件に従った捺染処理ができず捺染不良が生じる可能性がある。
【０００５】
また、前処理部と捺染実行部との間にセンサが設けられ、被捺染材がセットされたプラテンの位置、及び高さが検知されたとしても、そのプラテンが途中で外された場合は、捺染実行部は、そのプラテンにセットされた被捺染材に捺染処理を行えない可能性がある。
【０００６】
本発明の目的は、セットされたプラテンに適切な処理を行うことができる処理装置、またはプラテンを提供することにある。
【課題を解決するための手段】
【０００７】
本発明の第一態様に係る処理装置は、前処理装置及び後処理装置の少なくとも一方である関連装置と印刷装置とで使用されるプラテンに設けられたプラテン識別情報部から、前記プラテンを識別するプラテン識別情報を受け付ける第一受付部と、前記第一受付部で受け付けた前記プラテン識別情報に基づき、前記関連装置または前記印刷装置における処理を行う第一処理部とを備えている。
【０００８】
第一態様に係る処理装置では、第一処理部は、第一受付部で受け付けたプラテン識別情報に基づき、関連装置または印刷装置における処理を行う。従って、プラテンに対して、適切な処理が行われる可能性を高くすることが出来る。
【０００９】
また、前記第一受付部は、前記印刷装置における印刷内容と、前記関連装置における処理内容の少なくともいずれかと関連づいた前記プラテン識別情報を受け付け、前記第一処理部は、前記プラテン識別情報に関連づいた処理内容を行ってもよい。
【００１０】
この場合には、第一処理部は、第一受付部が受け付けたプラテン識別情報に関連づいた印刷内容又は処理内容の少なくとも何れかによる処理を行う。従って、プラテンに対して、適切な処理が行われる可能性を高くすることが出来る。
【００１１】
また、処理装置は、前記プラテンにセットされる印刷媒体の印刷媒体情報を受け付ける第二受付部と、前記第一受付部に対して前記第二受付部と同じ側の位置に設けられ、前記プラテン識別情報部から、前記プラテン識別情報を受け付ける第三受付部と、前記第二受付部及び前記第三受付部が接続された第一制御部とを備え、前記第一制御部は、前記第三受付部が受け付けた前記プラテン識別情報と前記第二受付部が受け付けた前記印刷媒体情報とを関連づける関連付け処理を行ってもよい。
【００１２】
この場合には、関連付け処理によりプラテン識別情報と印刷媒体情報とが関連づけられる。従って、第一処理部は、プラテン識別情報に基づいて印刷媒体情報を特定し、印刷媒体情報に対応した印刷内容又は処理内容の少なくとも何れかによる処理を行う。従って、プラテンに対して、適切な処理が行われる可能性を高くすることが出来る。
【００１３】
前記第一受付部は、前記プラテンに関するプラテン情報を含む前記プラテン識別情報を受け付け、前記第一受付部で受け付けた前記プラテン識別情報に含まれる前記プラテン情報に基づき、前記関連装置または前記印刷装置における処理を行う第二処理部を備えてもよい。
【００１４】
この場合には、第二処理部は、プラテン識別情報から得たプラテン情報に基づき、関連装置または印刷装置における処理を行う。従って、プラテンに対して、適切な処理が行われる可能性を高くすることが出来る。
【００１５】
前記第三受付部は、前記プラテンに関するプラテン情報を含む前記プラテン識別情報を受け付け、前記第一制御部は、前記第二受付部で受け付けた前記印刷媒体情報と前記第三受付部で受け付けた前記プラテン識別情報とに基づき、前記関連装置または前記印刷装置における処理の実施を判断してもよい。
【００１６】
この場合には、印刷媒体情報とプラテン識別情報とに含まれるプラテン情報により、第一制御部は、関連装置または印刷装置における処理の実施を判断する。従って、プラテンに対して、適切な処理が行われる可能性を高くすることが出来る。
【００１７】
前記第二受付部は、前記印刷媒体情報として、印刷サイズを受け付け、前記第三受付部は、前記プラテンに関するプラテン情報として、プラテンサイズを受け付け、前記第一制御部は前記印刷サイズが前記プラテンサイズよりも大きい場合は、エラー処理を行ってもよい。
【００１８】
この場合には、印刷サイズがプラテンサイズよりも大きい場合に、第一制御部は、エラー処理を行う。この結果、関連装置による処理又は印刷装置における印刷が行わない。従って、印刷媒体への印刷不良又は関連装置における処理の不良を低減できる。
【００１９】
前記第一処理部は、前記第一受付部が、前記印刷媒体情報と関連づけられていない前記プラテン識別情報を受け付けた場合、前記関連装置または前記印刷装置における処理を行わないようにしてもよい。
【００２０】
この場合には、印刷媒体情報と関連づけられていないプラテン識別情報を有するプラテンに対して、関連装置による処理又は印刷装置における印刷が行われない。従って、印刷媒体への印刷不良又は関連装置における処理の不良を低減できる。
【００２１】
前記第一処理部は、前記関連装置または前記印刷装置における処理において、エラーが発生した場合には、前記プラテン識別情報にエラー情報を関連づけるエラー関連付け処理を行い、前記第一受付部が、前記エラー情報と関連づけられている前記プラテン識別情報を受け付けた場合、前記関連装置または前記印刷装置における処理を行わないようにしてもよい。
【００２２】
この場合には、関連装置または印刷装置における処理において、エラーが発生した印刷媒体に関連装置による処理又は印刷装置における印刷が行われない。従って、印刷媒体への印刷不良又は関連装置における処理の不良を低減できる。
【００２３】
前記第一処理部は、前記関連装置、および前記印刷装置における処理が終了した場合に、前記印刷媒体情報の前記プラテン識別情報に対する関連付けを削除する削除処理を行うようにしてもよい。
【００２４】
この場合には、関連装置、および印刷装置における処理が完了した場合に、第一処理部は、印刷媒体情報の前記プラテン識別情報に対する関連付けを削除する削除処理を行う。従って、プラテン識別情報を新設することなく新たな印刷媒体情報と関連づけさせることができる。
【００２５】
前記第一受付部は、前記プラテンを前記印刷装置及び前記関連装置間で搬送する搬送装置により搬送される前記プラテンから前記プラテン識別情報を受け付けるようにしてもよい。
【００２６】
この場合には、搬送装置によりプラテンを印刷装置及び関連装置間で搬送する場合でも、第一受付部は、搬送されるプラテンからプラテン識別情報を受け付けることができる。
【００２７】
前記プラテンの高さを検出する高さ検出部を備え、前記第一処理部は、前記プラテン識別情報と、前記高さ検出部が検出した前記高さに基づく高さ情報とを関連づける高さ関連付け処理を行うようにしてもよい。
【００２８】
この場合には、第一処理部は、プラテン識別情報と、高さ検出部が検出した高さに基づく高さ情報とを関連づける高さ関連付け処理を行う。従って、プラテン識別情報によりプラテンの高さが特定され、処理に利用することが出来る。
【００２９】
前記第一処理部は、前記高さ検出部が検出した前記高さが所定の範囲内でない場合、前記関連装置または前記印刷装置における処理を行わないようにしてもよい。
【００３０】
この場合には、高さが所定の範囲内でないプラテンに関連装置による処理又は印刷装置における印刷が行われない。従って、印刷媒体への印刷不良又は関連装置における処理の不良を低減できる。
【００３１】
前記印刷装置の制御部は、前記高さ検出部が検出した高さに基づいて、前記プラテンの高さを調整する高さ調整処理を行うようにしてもよい。
【００３２】
この場合には、高さ検出部が検出した高さに基づいて、前記印刷装置の制御部が高さ調整処理を行う。この結果、プラテンの高さが印刷処理に適した高さに調整される。従って、印刷不良が発生する可能性を低減することができる。
【００３３】
前記第二受付部が前記印刷媒体情報を受け付けた場合に、前記第一制御部は、前記印刷装置で使用される印刷データを作成する印刷データ作成指示を行うようにしてもよい。
【００３４】
この場合には、印刷装置で使用される印刷データが予め作成されるので、印刷データを作成するために印刷処理が遅れる可能性を低減できる。
【００３５】
前記印刷装置の制御部は、前記第一受付部が受け付けた前記プラテン識別情報により、前記印刷データを取得する印刷データ取得処理を行うようにしてもよい。
【００３６】
この場合には、第一受付部が受け付けたプラテン識別情報により、予め作成された印刷データが取得される。従って、印刷データの取得が容易なる。
【００３７】
前記第一制御部は、前記第三受付部から前記印刷媒体情報を取得できない場合に、前記関連付け処理において、前記プラテン識別情報に対して、入力データ記憶部を関連づけ、前記印刷装置の制御部は、前記第一受付部が受け付けた前記プラテン識別情報に関連づけられた前記入力データホルダに入稿された印刷データに基づく印刷を行うようにしてもよい。
【００３８】
この場合には、第三受付部から前記印刷媒体情報が取得できない場合に、入力データホルダに入稿された印刷データに基づく印刷が可能になる。
【００３９】
本発明の第二態様のプラテンは、前処理装置及び後処理装置の少なくとも一方である関連装置と印刷装置とで使用されるプラテンであって、前記関連装置または前記印刷装置の処理対象である印刷媒体がセットされる板と、前記プラテンに設けられたプラテン識別情報部とを備え、前記プラテン識別情報部は、前記関連装置または前記印刷装置における処理と関連づき、前記プラテンを識別するプラテン識別情報を示すことを特徴とする。
【００４０】
この場合には、プラテン識別情報部は、前記関連装置または前記印刷装置における処理と関連づき、前記プラテンを識別するプラテン識別情報を示す。従って、関連装置、または印刷装置において、プラテン識別情報部から受け付けたプラテン識別情報に基づいた処理を行うことが出来る。
【図面の簡単な説明】
【００４１】
【図１】印刷処理システム１００の構成の例を示す図である。
【図２】前処理装置１０の電気的構成の一例を示すブロック図である。
【図３】印刷装置１の電気的構成の一例を示すブロック図である。
【図４】後処理装置５の電気的構成の一例を示すブロック図である。
【図５】端末装置２の電気的構成の一例を示すブロック図である。
【図６】サーバ３の電気的構成の一例を示すブロック図である。
【図７】関連付けテーブル８０の例を示す図である。
【図８】第一テーブル８１の例を示す図である。
【図９】第二テーブル８２の例を示す図である。
【図１０】第三テーブル８３の例を示す図である。
【図１１】（Ａ）はプラテン６Ａを示す平面図である。（Ｂ）はプラテン６Ａの左側面図である。（Ｃ）はプラテン６Ａの正面図である。
【図１２】（Ａ）はプラテン６Ｂを示す平面図である。（Ｂ）はプラテン６Ｂの左側面図である。（Ｃ）はプラテン６Ｂの正面図である。
【図１３】第一メイン処理のフローチャートである。
【図１４】第二メイン処理のフローチャートである。
【図１５】第三メイン処理のフローチャートである。
【図１６】第四メイン処理のフローチャートである。
【図１７】作業者のＰＣでの処理のフローチャートである。
【図１８】テキストファイルの一例である。
【発明を実施するための形態】
【００４２】
本発明の一実施形態の処理装置及びプラテンを、図面を参照し説明する。本実施形態においては、後述するプラテン６に印刷媒体７が載置される。印刷媒体７の一例は、Ｔシャツ等の布帛である。布帛の材質の一例は、綿、ポリエステル、綿とポリエステルとの混合等である。プラテン６は、後述する前処理装置１０、印刷装置１、及び後処理装置５にて使用される。前処理装置１０，印刷装置１，及び後処理装置５は、各々、後述するコードリーダ２７，３５，８５を備える。コードリーダ２７，３５，８５は、プラテン６のプラテン識別情報部６０８（図１１及び図１２参照）からプラテン識別情報を受け付ける。プラテン６に載置された印刷媒体７に対して、前処理装置１０は後述する前処理を行い、印刷装置１は後述する印刷処理を行い、後処理装置５は後述する後処理を行う。
【００４３】
＜印刷処理システム１００＞
図１に示す様に、印刷処理システム１００は、ネットワーク４を介して互いに接続された前処理装置１０、印刷装置１、後処理装置５、端末装置２、及びサーバ３を備える。ネットワーク４は、一例として、ＬＡＮ、イントラネット、及びインターネット等である。また、端末装置２、前処理装置１０、印刷装置１、後処理装置５、及びサーバ３は、ＵＳＢ（Universal Serial Bus）（登録商標）等のシリアルポートに接続可能なシリアルケーブルを介して、夫々接続されていても良い。更に、ネットワーク４を介した接続とシリアルケーブルを介した接続が混在していても良い。プラテン６を搬送するプラテン搬送機構９０が、前処理装置１０、印刷装置１、及び後処理装置５の間に、各々、設けられる。プラテン搬送機構９０は、プラテン６を前処理装置１０、印刷装置１、及び後処理装置５の順に搬送する。プラテン搬送機構９０は、図示しないガイドレール、ギア機構、及びモータ等により構成される。プラテン搬送機構９０において、プラテン６に印刷媒体７が装着される位置を装着位置９０Ａと言い、プラテン６から印刷媒体７が着脱される位置を着脱位置９０Ｂと言う。
【００４４】
＜前処理装置１０の構成＞
図２に示すように、前処理装置１０は、塗布部１８、及び熱処理部５０等を備える。印刷媒体７が載置されたプラテン６は、プラテンモータ１７等で構成された内部プラテン搬送機構（図示略）により、塗布部１８、及び熱処理部５０に搬送される。プラテンモータ１７は、一例として、ステッピングモータである。塗布部１８は、例えば、複数のスプレー（図示略）を備えており、スプレーが前処理剤を噴霧することにより、プラテン６に載置された印刷媒体７に前処理剤を塗布する。前処理剤は、印刷装置１において印刷媒体７に吐出されるインクの定着を向上させる為の液体であり、一例として、ＣａＣｌ２等の金属塩を含む水溶液である。熱処理部５０は、印刷媒体７を高温で加圧して前処理剤を乾燥させることにより、前処理剤の印刷媒体７への定着を向上させ、画質を向上させる。熱処理部５０は、プレス面（図示しない）、プレスモータ２０、ヒータ素子２８等を備える。ヒータ素子２８はプレス面を加熱する。プレスモータ２０は、プレス面を上下動し、プレス面により印刷媒体７を加圧する。なお熱処理部５０は、プレス面を備えなくてもよい。この場合、ヒータ素子２８は前処理装置１０の内部を加熱する。
【００４５】
図２に示す様に、前処理装置１０は、さらに、ＣＰＵ１１、ＲＯＭ１２、ＲＡＭ１３、フラッシュメモリ１４、駆動回路１６，１９、操作部２２、表示部２３、入出力部２４、及び通信部２５等を備え、バス２６を介して互いに接続されている。ＣＰＵ１１は、前処理装置１０を制御し、ＲＯＭ１２から各種のプログラムを読み出し、ＲＡＭ１３をワーキングメモリとして使用し、各種の処理を実行する。
【００４６】
駆動回路１６は、プラテンモータ１７に接続しており、ＣＰＵ１１の制御の下、プラテンモータ１７を駆動する。駆動回路１９は、プレスモータ２０及びヒータ素子２８に接続しており、ＣＰＵ１１の制御の下、プレスモータ２０及びヒータ素子２８を駆動する。
【００４７】
操作部２２は、操作パネル等を備えている。作業者は、操作部２２を介して、所望の指示を前処理装置１０に与えることができる。表示部２３は、周知のディスプレイ装置等で構成される。表示部２３は、タッチパネル（図示略）を備え、操作部２２としても機能しても良い。入出力部２４は、ＳＤメモリカードスロット、及びＵＳＢ（登録商標）ポート及び他の規格のシリアルポート等を備えている。
【００４８】
通信部２５は、無線モジュール（図示略）と有線モジュール（図示略）の内の少なくとも一方を有し、印刷装置１、端末装置２、及びサーバ３とネットワーク４を介して相互に通信可能である。前処理装置１０は、通信部２５に代えて、ＵＳＢポートに接続可能な無線モジュールにより、印刷装置１、端末装置２、後処理装置５、及びサーバ３とネットワーク４を介して接続されても良い。
【００４９】
また、ＣＰＵ１１には、コードリーダ２７が接続されている。コードリーダ２７は、プラテン６に設けられた後述するプラテン識別情報部６０８を読み取り、プラテン識別情報をＣＰＵ３１に入力する。コードリーダ２７は、例えば、プラテン搬送機構９０によって搬送されるプラテン６に設けられたプラテン識別情報部６０８に対面する位置に設けられればよい。また、作業者がコードリーダ２７を手に持ってプラテン識別情報部６０８を読み取ってもよい。
【００５０】
＜印刷装置１の構成＞
図３に示す様に、印刷装置１は、ＣＰＵ３１、ＲＯＭ３２、ＲＡＭ３３、記憶装置３４、操作部３６、表示部３７、入出力部３８、通信部３９、駆動回路４１〜４４等を備え、バスを介して互いに接続されている。ＣＰＵ３１は、印刷装置１を制御し、ＲＯＭ３２から各種のプログラムを読み出し、ＲＡＭ３３をワーキングメモリとして使用し、各種の処理を実行する。例えば、ＣＰＵ３１は、印刷処理プログラムをＲＯＭ３２から読み出して、印刷処理を実行する。記憶装置３４は、フラッシュメモリ、ＨＤＤ等の不揮発性の記憶装置である。記憶装置３４は、後述する印刷データ、及び各種のパラメータ等を記憶している。
【００５１】
ＣＰＵ３１には、コードリーダ３５及び高さセンサ７３が接続されている。コードリーダ３５は、一例として、プラテン６に設けられた後述するプラテン識別情報部６０８を読み取り、プラテン識別情報をＣＰＵ３１に入力する。コードリーダ３５は、例えば、プラテン搬送機構９０によって搬送されるプラテン６に設けられたプラテン識別情報部６０８に対面する位置に設けられればよい。また、作業者がコードリーダ３５を手に持ってプラテン識別情報部６０８を読み取ってもよい。高さセンサ７３は、発光部７３Ａと受光部７３Ｂから構成される光センサであり、プラテン６の天面６１１に載置された印刷媒体７の高さを検出する。一対の発光部７３Ａと受光部７３Ｂは水平方向に互いに対向する位置に設けられている。また、複数の発光部７３Ａは上下に並び、複数の受光部７３Ｂも上下に並び、通過するプラテン６の高さを検出する。
【００５２】
操作部３６は、操作パネル等（図示略）を備えている。操作部３６を介して、作業者の指示がＣＰＵ３１に入力される。表示部３７は、周知のディスプレイ装置等で構成される。表示部３７は、タッチパネル（図示略）を備え、操作部３６として機能しても良い。入出力部３８は、ＳＤメモリカードスロット、及びＵＳＢポート及び他の規格のシリアルポート等を備えている。
【００５３】
通信部３９は、無線モジュール（図示略）と有線モジュール（図示略）の内の少なくとも一方を有し、前処理装置１０、端末装置２、後処理装置５、及びサーバ３とネットワーク４を介して相互に通信可能である。印刷装置１は、通信部３９に代えて、ＵＳＢポートに接続可能な無線モジュールにより、前処理装置１０、端末装置２、後処理装置５、及びサーバ３とネットワーク４を介して接続されても良い。
【００５４】
駆動回路４１は、第一ヘッド４５に接続しており、ＣＰＵ３１の制御の下、第一ヘッド４５の各ノズル（図示略）からカラーインクの液滴を吐出する。駆動回路４２は、第二ヘッド４６に接続しており、ＣＰＵ３１の制御の下、第二ヘッド４６の各ノズル（図示略）から白色インクの液滴を吐出する。駆動回路４３は、キャリッジモータ４７に接続しており、ＣＰＵ３１の制御の下、キャリッジモータ４７を駆動する。駆動回路４４は、プラテン搬送モータ４８及びプラテン上下モータ４９に接続しており、ＣＰＵ３１の制御の下、プラテン搬送モータ４８及びプラテン上下モータ４９を駆動する。
【００５５】
＜後処理装置５の構成＞
図４に示すように、後処理装置５は、熱処理部１５０等を備える。印刷媒体７が載置されたプラテン６は、プラテンモータ１１７等で構成された内部プラテン搬送機構（図示略）により、熱処理部１５０に搬送される。プラテンモータ１１７は、一例として、ステッピングモータである。熱処理部１５０は、ヒータ素子１２８等を備える。ヒータ素子１２８は印刷媒体７を加熱する。従って、熱処理部１５０は、印刷媒体７を高温で加熱して、インクを乾燥させることにより、インクの印刷媒体７への定着を向上させる。
【００５６】
図４に示す様に、後処理装置５は、さらに、ＣＰＵ１１１、ＲＯＭ１１２、ＲＡＭ１１３、フラッシュメモリ１１４、駆動回路１１６，１１９、操作部１２２、表示部１２３、入出力部１２４、及び通信部１２５等を備え、バス１２６を介して互いに接続されている。ＣＰＵ１１１は、後処理装置５を制御し、ＲＯＭ１１２から各種のプログラムを読み出し、ＲＡＭ１１３をワーキングメモリとして使用し、各種の処理を実行する。フラッシュメモリ１１４は、各種のパラメータ等を記憶している。
【００５７】
駆動回路１１６は、プラテンモータ１１７に接続しており、ＣＰＵ１１１の制御の下、プラテンモータ１１７を駆動する。駆動回路１１９は、ヒータ素子１２８に接続しており、ＣＰＵ１１１の制御の下、ヒータ素子１２８を駆動する。
【００５８】
操作部１２２は、操作パネル等を備えている。作業者は、操作部１２２を介して、所望の指示を後処理装置５に与えることができる。表示部１２３は、周知のディスプレイ装置等で構成される。表示部１２３は、タッチパネル（図示略）を備え、操作部１２２としても機能しても良い。入出力部１２４は、ＳＤメモリカードスロット、及びＵＳＢ（登録商標）ポート及び他の規格のシリアルポート等を備えている。
【００５９】
通信部１２５は、無線モジュール（図示略）と有線モジュール（図示略）の内の少なくとも一方を有し、前処理装置１０、印刷装置１、端末装置２、及びサーバ３とネットワーク４を介して相互に通信可能である。後処理装置５は、通信部１２５に代えて、ＵＳＢポートに接続可能な無線モジュールにより、前処理装置１０、印刷装置１、端末装置２、及びサーバ３とネットワーク４を介して接続されても良い。
【００６０】
また、ＣＰＵ１１１には、コードリーダ８５が接続されている。コードリーダ８５は、一例として、プラテン６に設けられた後述するプラテン識別情報部６０８を読み取り、プラテン識別情報をＣＰＵ１１１に入力する。コードリーダ８５は、例えば、プラテン搬送機構９０によって搬送されるプラテン６に設けられたプラテン識別情報部６０８に対面する位置に設けられればよい。また、作業者がコードリーダ８５を手に持ってプラテン識別情報部６０８を読み取ってもよい。
【００６１】
＜端末装置２の電気的構成＞
端末装置２は、例えば、ＰＣ（Personal Computer）、タブレット、スマートフォン等である。図５に示す様に、端末装置２は、ＣＰＵ５１、ＲＯＭ５２、ＲＡＭ５３、記憶装置５４、操作部５５、表示部５６、入出力部５７、及び通信部５８等を備え、バス５９を介して互いに接続されている。ＣＰＵ５１は、端末装置２を制御し、記憶装置５４から各種のプログラムを読み出し、ＲＡＭ５３をワーキングメモリとして使用して各種の処理を実行する。記憶装置５４は、各種のプログラム、及び各種の情報等を記憶する。記憶装置５４は、一例として、ＨＤＤ、及びフラッシュメモリ等の不揮発性の記憶装置である。
【００６２】
操作部５５、キーボード（図示略）、又は操作パネル（タッチパネルを含む）等を備えている。操作部５５を介して、作業者の指示がＣＰＵ５１に入力される。表示部５６は、周知のディスプレイ装置等で構成される。表示部５６は、タッチパネル（図示略）を備え、操作部５５として機能しても良い。入出力部５７は、ＳＤメモリカードスロット、及びＵＳＢポート及び他の規格のシリアルポート等を備えている。
【００６３】
通信部５８は、無線モジュール（図示略）と有線モジュール（図示略）の内の少なくとも一方を有し、前処理装置１０、印刷装置１、後処理装置５、及びサーバ３とネットワーク４を介して相互に通信可能である。端末装置２は、通信部５８に代えて、ＵＳＢポートに接続可能な無線モジュールにより、前処理装置１０、印刷装置１、及びサーバ３とネットワーク４を介して接続されても良い。
【００６４】
また、ＣＰＵ５１には、コードリーダ６８及びコードリーダ６９が接続されている。コードリーダ６８は、一例として、プラテン６に設けられた後述するプラテン識別情報部６０８を読み取り、プラテン識別情報をＣＰＵ５１に入力する。コードリーダ６８は、例えば、プラテン搬送機構９０の装着位置９０Ａにおいて、プラテン６に設けられたプラテン識別情報部６０８に対面する位置に設けられればよい。また、作業者がコードリーダ６８を手に持ってプラテン識別情報部６０８を読み取ってもよい。コードリーダ６９は、一例として、印刷媒体７に付された後述する印刷媒体情報７１（図１１及び図１２参照）を読み取り、印刷媒体情報７１をＣＰＵ５１に入力する。作業者がコードリーダ６９を手に持って印刷媒体情報７１を読み取ってもよい。
【００６５】
＜サーバ３の電気的構成＞
図６に示す様に、サーバ３は、ＣＰＵ６１、ＲＯＭ６２、ＲＡＭ６３、ＨＤＤ６４、入出力部６５、及び通信部６６等を備え、バス６７を介して互いに接続されている。ＣＰＵ６１は、サーバ３を制御し、ＨＤＤ６４から各種のプログラムを読み出し、ＲＡＭ６３をワーキングメモリとして使用して各種の処理を実行する。ＨＤＤ６４は、後述する関連付けテーブル８０、第一テーブル８１、第二テーブル８２及び第三テーブル８３等の各種のテーブル、各種のプログラム、及び各種の情報等を記憶する。
【００６６】
通信部６６は、無線モジュール（図示略）と有線モジュール（図示略）の内の少なくとも一方を有し、前処理装置１０、印刷装置１、後処理装置５及び端末装置２とネットワーク４を介して相互に通信可能である。サーバ３は、通信部６６に代えて、ＵＳＢポートに接続可能な無線モジュールにより、前処理装置１０、印刷装置１、後処理装置５及び端末装置２とネットワーク４を介して接続されても良い。
【００６７】
＜関連付けテーブル８０＞
図７に示す様に、関連付けテーブル８０は、プラテン識別情報、印刷媒体情報、エラー情報、処理済情報、印刷データ、及び高さ情報等が関連づけられたテーブルである。サーバ３のＨＤＤ６４が関連付けテーブル８０を記憶している。例えば、後述するメイン処理のＳ４の処置で関連づけられたプラテン識別情報と印刷媒体情報とが関連付けテーブル８０に記憶される。
【００６８】
＜第一テーブル８１＞
図８に示す様に、第一テーブル８１は、印刷媒体情報と前処理条件とが対応付けられたテーブルである。一例として、サーバ３のＨＤＤ６４が第一テーブル８１を記憶している。前処理条件は、塗布処理に関する塗布条件と熱処理に関する熱処理条件とが有る。塗布条件は、一例として、単位面積当たりの塗布量（ｍｇ／ｃｍ２）、塗布範囲、及び前処理剤の種類である。単位面積当たりの塗布量（ｍｇ／ｃｍ２）は、前処理剤の単位面積当たりの塗布量（ｍｇ／ｃｍ２）を示す情報である。塗布範囲は、前処理剤を塗布する範囲を示す情報である。前処理剤の種類は、前処理剤の種類を示す情報である。
【００６９】
熱処理条件は、一例として、熱処理圧力（Ｎ／ｃｍ２）、熱処理時間（ｓｅｃ）、熱処理温度（℃）、熱処理範囲、及び熱処理回数である。熱処理圧力（Ｎ／ｃｍ２）は、熱処理部５０がヒートプレス、又はヒートローラ等、熱処理の対象である印刷媒体７に圧力を加える場合における、熱処理の際に加える圧力の値である。従って、熱処理部５０が近赤外線オーブン、又は送風装置等、印刷媒体７に非接触の場合には、ヌル（―）が設定されている。熱処理時間（ｓｅｃ）は熱処理を行う時間である。熱処理温度（℃）は熱処理の温度である。熱処理範囲は、熱処理を行う範囲である。熱処理回数は、設定されている熱処理時間（ｓｅｃ）の熱処理を繰り返す回数である。
【００７０】
＜第二テーブル８２＞
図９に示す様に、第二テーブル８２は、印刷媒体情報と印刷データとを対応付けたテーブルである。一例として、サーバ３のＨＤＤ６４が第二テーブル８２を記憶している。
【００７１】
＜第三テーブル８３＞
図１０に示す様に、第三テーブル８３は、印刷媒体情報と後処理条件とを対応付けたテーブルである。後処理条件は、例えば、熱処理に関する熱処理条件であり、後処理装置５の熱処理部１５０の熱処理時間（ｓｅｃ）及び熱処理温度（℃）である。一例として、サーバ３のＨＤＤ６４が第三テーブル８３を記憶している。
【００７２】
＜プラテン６の構造＞
次に、図１１を参照して、プラテン６の第一実施例であるプラテン６Ａを説明する。図１１（Ａ）〜（Ｃ）は、プラテン６に印刷媒体７が載置された状態を示す。プラテン６Ａは、前処理装置１０、印刷装置１、及び後処理装置５にて使用される。プラテン６Ａは、下板部６０１と、上板部６１０とを備える。下板部６０１は、矩形の板部材であり、左側面６０２、右側面６０３、前面６０４、後面６０５、上面６０６、下面６０７を備える。また、下板部６０１の上面６０６に上板部６１０が設けられる。上板部６１０は、下板部６０１より小さい矩形の板部材であり、天面６１１を備える。天面６１１は、筒状の印刷媒体７を上下二枚重ねで下側から支持する。
【００７３】
図１１（Ｂ）に示すように、下板部６０１の左側面６０２には、プラテン識別情報部６０８が設けられる。プラテン識別情報部６０８は、前処理装置１０、後処理装置５、または、印刷装置１における処理と関連づき、プラテン６Ａを識別するプラテン識別情報を示す。プラテン識別情報は、印刷処理システム１００の工程内においては、互いに重複しない識別情報が用いられる。従って、印刷処理システム１００の工程内においては、プラテン識別情報は固有である。プラテン識別情報は、プラテン情報としてのプラテン６Ａの天面６１１のサイズ、プラテン６Ａの下面６０７から天面６１１までの高さ、プラテン６Ａの情報も含む。印刷装置１の第一ヘッド４５及び第二ヘッド４６のノズル面と、プラテン６Ａの天面６１１に載置された印刷媒体７との間には所定の間隔が必要である。また、印刷装置１がプラテン６を上下動できる範囲は決まっている。従って、印刷装置１で使用可能な高さのプラテンは限られ、印刷装置１はプラテン６の高さの情報が必要である。また、一例として、プラテン識別情報部６０８は、バーコード等の一次元コード、ＱＲコード（登録商標）等の二次元、及び三次元等のコードの情報である。プラテン識別情報部６０８は、印刷媒体７の垂れ下がりによって隠れない位置に設けられる必要がある。すなわち、プラテン識別情報部６０８は、プラテン６Ａに印刷媒体７がセットされた状態において、各コードリーダ６８，２７，３５，８５で読み取り可能な位置に設けられる必要がある。例えば、プラテン識別情報部６０８は、上から見て上板部６１０の天面６１１よりも外側の下板部６０１に設けられる。
【００７４】
図１２を参照して、プラテン６の第二実施例であるプラテン６Ｂを説明する。なお、第一実施例と同様の構成は説明を省略する。図１２（Ａ）〜（Ｃ）は、プラテン６Ｂに印刷媒体７が載置された状態を示す。プラテン６Ｂは、下から下板部６０１と接続部６２０と上板部６１０とを備える。上板部６１０及び下板部６０１は、プラテン６Ａと同様の板部材である。印刷媒体７を上板部６１０に着せる形態でも置く形態でも、天面６１１は、筒状の印刷媒体７の印刷面を下側から支持する。下板部６０１と上板部６１０は、一定距離離間する。接続部６２０は、下板部６０１と上板部６１０とを接続する。接続部６２０は、上下方向に所定の高さを有する直方体の部材であり、下板部６０１の上面６０６の後部側と上板部６１０の下面６１２の後部側の間に設けられる。
【００７５】
図１２（Ｂ）に示すように、下板部６０１の左側面６０２には、プラテン識別情報部６０８が設けられる。プラテン識別情報部６０８は、プラテン６Ａのプラテン識別情報部６０８と同様にプラテン６Ｂを識別するプラテン識別情報を示す。プラテン識別情報部６０８は、印刷媒体７を支持する上板部６１０と異なる下板部６０１に設けられている。従って、印刷媒体７の垂れ下がりによって、プラテン識別情報部６０８が隠される可能性が低減する。以下の説明では、プラテン６Ａ及び６Ｂを総称して「プラテン６」とも言う。
【００７６】
図１１及び図１２に示すように、プラテン６に載置される印刷媒体７には、印刷媒体情報７１が付されている。印刷媒体情報７１は、布帛等の印刷媒体７を識別可能な識別情報である。印刷媒体情報７１の一例は、バーコード等の一次元コード、ＱＲコード（登録商標）等の二次元、及び三次元等のコードの情報である。後述するようにプラテン識別情報に関連づけられた印刷媒体情報７１により、塗布条件、熱処理条件、印刷条件、及び後処理条件等がサーバ３から取得される。
【００７７】
＜メイン処理＞
図１３〜図１６を参照し、第一メイン処理〜第四メイン処理の流れを説明する。第一メイン処理は端末装置２のＣＰＵ５１が実行し、第二メイン処理は前処理装置１０のＣＰＵ１１が実行し、第三メイン処理は印刷装置１のＣＰＵ３１が実行し、第四メイン処理は後処理装置５のＣＰＵ１１１が実行する。図１３を参照し、第一メイン処理について説明する。端末装置２のＣＰＵ５１は、ＲＯＭ５２から第一メイン処理プログラムを読み出し、ＲＡＭ５３をワーキングメモリとして使用し、第一メイン処理を実行する。第一メイン処理は、例えば、端末装置２の電源がＯＮになったことをトリガとして開始される。ＣＰＵ５１はプラテン識別情報を受け付けたか判断する（Ｓ１）。コードリーダ６８が読み取ったプラテン識別情報がＣＰＵ５１に入力されると、ＣＰＵ５１は、プラテン識別情報を受け付けたと判断する（Ｓ１：ＹＥＳ）。ＣＰＵ５１は、プラテン識別情報を受け付けていない場合に（Ｓ１：ＮＯ）、所定時間経過していない場合には（Ｓ２：ＮＯ）、処理をＳ１に戻す。また、ＣＰＵ５１は、所定時間経過した場合には（Ｓ２：ＹＥＳ）、エラー処理を行う（Ｓ４）。一例として、ＣＰＵ５１は、表示部５６にプラテン識別情報を受け付けていないことを表示する。
【００７８】
ＣＰＵ５１は、プラテン識別情報を受け付けたと判断した場合には（Ｓ１：ＹＥＳ）、印刷媒体情報７１を受け付けたか判断する（Ｓ３）。コードリーダ６９が読み取った印刷媒体情報７１がＣＰＵ５１に入力されると、ＣＰＵ５１は、印刷媒体情報を受け付けたと判断する（Ｓ３：ＹＥＳ）。ＣＰＵ５１は、印刷媒体情報７１を受け付けていない場合に（Ｓ３：ＮＯ）、プラテン識別情報を受け付けてから（Ｓ１：ＹＥＳ）、所定時間経過していない場合には（Ｓ５：ＮＯ）、処理をＳ３に戻す。ＣＰＵ５１は、所定時間経過した場合には（Ｓ５：ＹＥＳ）、エラー処理を行う（Ｓ４）。一例として、ＣＰＵ５１は、表示部５６に印刷媒体情報７１を受け付けていないことを表示する。尚、プラテン識別情報の受付と、印刷媒体情報の受付の順序は逆になってもよい。
【００７９】
ＣＰＵ５１は、印刷媒体情報を受け付けたと判断した場合には（Ｓ３：ＹＥＳ）、プラテン識別情報に対して印刷媒体情報の関連付けの指示を通信部５８を介して、サーバ３に送信する（Ｓ６）。関連付けの指示を受信したサーバ３のＣＰＵ６１は、図７に示す関連付けテーブル８０にプラテン識別情報と印刷媒体情報との対応関係を記憶する。次いで、ＣＰＵ５１は、プラテン識別情報と共に印刷データの作成の指示を通信部５８を介して、サーバ３に送信する（Ｓ７）。印刷データの作成指示を受信したサーバ３のＣＰＵ６１は、関連付けテーブル８０からプラテン識別情報に対応した印刷媒体情報を特定する。次いで、ＣＰＵ６１は特定した印刷媒体情報に対応する印刷データを図９に示す第二テーブル８２から取得する。ＣＰＵ６１は、印刷媒体情報に対応した印刷データ（印刷元画像及び印刷設定情報）に基づいて、ラスタデータの印刷データの作成を開始する。ＣＰＵ６１は、ラスタデータの印刷データが完成した場合には、プラテン識別情報と共に印刷データを印刷装置１に送信する。印刷装置１のＣＰＵ３１は、記憶装置３４にプラテン識別情報に対応して受信した印刷データを記憶する。また、サーバ３では、完成した印刷データを関連付けテーブル８０のプラテン識別情報に対応して記憶する。次いで、ＣＰＵ１１は第一メイン処理を終了する。
【００８０】
図１４を参照し、第二メイン処理について説明する。前処理装置１０のＣＰＵ１１は、ＲＯＭ１２から第二メイン処理プログラムを読み出し、ＲＡＭ１３をワーキングメモリとして使用し、第二メイン処理を実行する。第二メイン処理は、例えば、前処理装置１０の電源がＯＮになったことをトリガとして開始される。プラテン６がプラテン搬送機構９０により前処理装置１０に搬送されると、前処理装置１０のＣＰＵ１１は、プラテン識別情報を受け付けたか判断する（Ｓ１２）。コードリーダ２７により読み取られたプラテン６のプラテン識別情報がＣＰＵ１１に入力されると、ＣＰＵ１１は、プラテン識別情報を受け付けたと判断する（Ｓ１２：ＹＥＳ）。ＣＰＵ１１は、一例として、第一メイン処理でプラテン情報を受け付けてから（Ｓ１：ＹＥＳ）から所定時間経過してもプラテン識別情報を受け付けていないと判断した場合には（Ｓ１２：ＮＯ）、エラー処理（Ｓ１３）を行う。一例として、ＣＰＵ１１は、プラテン６に載置された印刷媒体７に前処理（Ｓ２３）を行わず、プラテン６をプラテン搬送機構９０により印刷装置１に送る。
【００８１】
次いで、ＣＰＵ１１は、Ｓ１２の判断でＹＥＳと判断した場合には、プラテン識別情報に基づきプラテン情報を取得する（Ｓ１５）。プラテン識別情報は、プラテンサイズ、プラテン高さ、及びプラテン材質等のプラテン情報を含んでいる。ＣＰＵ１１は、プラテン識別情報からプラテン情報を取得したか判断する（Ｓ１６）。ＣＰＵ１１は、プラテン情報を取得したと判断しない場合には（Ｓ１６：ＮＯ）、エラー処理を行う（Ｓ１７）ＣＰＵ１１は、プラテン識別情報と共にエラー処理の指示をサーバ３に送信する。サーバ３のＣＰＵ６１は、エラー処理として、関連付けテーブル８０のエラー情報にプラテン情報未取得のエラー情報を関連づける。また、ＣＰＵ１１は、プラテン６に載置された印刷媒体７に前処理（Ｓ２３）を行わず、プラテン６をプラテン搬送機構９０により印刷装置１に送る。
【００８２】
ＣＰＵ１１はプラテン情報を取得した場合には（Ｓ１６：ＹＥＳ）、印刷サイズの取得を行う（Ｓ１８）。一例として、ＣＰＵ１１はプラテン識別情報と共に印刷サイズの要求指示をサーバ３に送信する（Ｓ１８）。サーバ３のＣＰＵ６１は、関連付けテーブル８０からプラテン識別情報に対応した印刷媒体情報を特定する。次いで、ＣＰＵ６１は特定した印刷媒体情報に対応する印刷データを図９に示す第二テーブル８２から取得する。次いで、ＣＰＵ６１は印刷データから印刷サイズを特定し、通信部６６を介して前処理装置１０に送信する。
【００８３】
ＣＰＵ１１は印刷サイズがプラテンサイズよりも大きいか判断する（Ｓ１９）。ＣＰＵ１１は、印刷サイズがプラテンサイズよりも大きいと判断した場合には（Ｓ１９：ＹＥＳ）、エラー処理を行う（Ｓ１７）。以下、印刷サイズがプラテンサイズよりも大きいエラーを「プラテンサイズエラー」という。例えば、サーバ３のＣＰＵ６１は、関連付けテーブル８０のプラテン識別情報ＰＩＤ０１にプラテンサイズエラーのエラー情報を関連づける。次いで、ＣＰＵ１１は、前処理装置１０による前処理（Ｓ２３）を行わず、プラテン６をプラテン搬送機構９０により印刷装置１に送る。
【００８４】
ＣＰＵ１１は、印刷サイズがプラテンサイズよりも大きいと判断しない場合には（Ｓ１９：ＮＯ）、前処理条件を取得する（Ｓ２０）。一例として、ＣＰＵ１１はＳ１２の処理で受け付けたプラテン識別情報と共に前処理条件の要求指示をサーバ３に送信する（Ｓ２０）。サーバ３のＣＰＵ６１は、関連付けテーブル８０からプラテン識別情報に対応した印刷媒体情報を特定する。次いで、例えば、ＣＰＵ６１は、関連付けテーブル８０のプラテン識別情報ＰＩＤ１に対応した印刷媒体情報ＩＤ１を特定する。次いで、ＣＰＵ６１は、第一テーブル８１において、印刷媒体情報ＩＤ１に対応する前処理条件を特定する。一例として、特定される前処理条件は、塗布条件と熱処理条件である。ＣＰＵ６１は特定した前処理条件を通信部６６を介して前処理装置１０に送信する。ＣＰＵ６１は前処理条件を特定できなかった場合には、前処理条件無しを示す情報を前処理装置１０に送信する。
【００８５】
次いで、ＣＰＵ１１は、前処理条件を取得したか判断する（Ｓ２１）。ＣＰＵ１１は、前処理条件を取得できない場合には（Ｓ２１：ＮＯ）、エラー処理を行う（Ｓ２２）。以下、前処理条件を取得できなかったエラーを「前処理条件未取得エラー」という。ＣＰＵ１１は、プラテン識別情報と共にエラー処理の指示をサーバ３に送信する。サーバ３のＣＰＵ６１は、エラー処理として、関連付けテーブル８０のエラー情報に前処理条件未取得エラーのエラー情報を関連づける。また、ＣＰＵ１１は、プラテン６に載置された印刷媒体７に前処理（Ｓ２３）を行わず、プラテン６をプラテン搬送機構９０により印刷装置１に送る。
【００８６】
ＣＰＵ１１は、前処理条件を取得した場合には（Ｓ２１：ＹＥＳ）、前処理装置１０において、取得した前処理条件である塗布条件及び熱処理条件による前処理を実行する（Ｓ２３）。Ｓ２３の処理において、前処理を完了できない等のエラーが発生したとＣＰＵ１１が判断した場合には（Ｓ２４：ＹＥＳ）、ＣＰＵ１１は、エラー処理を行う（Ｓ２５）。ＣＰＵ１１は、プラテン識別情報と共にエラー処理の指示をサーバ３に送信する。サーバ３のＣＰＵ６１は、エラー処理として、関連付けテーブル８０のエラー情報に「前処理エラー」のエラー情報を関連づける。また、ＣＰＵ１１は、プラテン６に載置された印刷媒体７に前処理（Ｓ２２）を行わず、プラテン６をプラテン搬送機構９０により印刷装置１に送る。
【００８７】
ＣＰＵ１１は、前処理が完了し、エラーが発生しない場合に（Ｓ２４：ＮＯ）、プラテン識別情報と共に前処理済の情報をサーバ３に送信する（Ｓ２６）。サーバ３のＣＰＵ６１は、関連付けテーブル８０のプラテン識別情報に前処理が完了したことを示す前処理済情報を関連づける（Ｓ２６）。次いで、ＣＰＵ１１は、第二メイン処理を終了する。
【００８８】
図１５を参照し、第三メイン処理について説明する。印刷装置１のＣＰＵ３１は、ＲＯＭ３２から第三メイン処理プログラムを読み出し、ＲＡＭ３３をワーキングメモリとして使用し、第三メイン処理を実行する。第三メイン処理は、例えば、印刷装置１の電源がＯＮになったことをトリガとして開始される。プラテン搬送機構９０により、プラテン６が印刷装置１まで搬送されると、印刷装置１のＣＰＵ３１は、プラテン識別情報を受け付けたか判断する（Ｓ３２）。一例として、コードリーダ３５により読み取られたプラテン６のプラテン識別情報がＣＰＵ３１に入力されると、ＣＰＵ３１は、プラテン識別情報を受け付けたと判断する（Ｓ３２：ＹＥＳ）。ＣＰＵ３１は、所定時間経過してもプラテン識別情報を受け付けたと判断しない場合には（Ｓ３２：ＮＯ）、エラー処理（Ｓ４５）を行う。一例として、ＣＰＵ３１は、プラテン６に載置された印刷媒体７に印刷処理（Ｓ４３）を行わず、プラテン６をプラテン搬送機構９０により後処理装置５に送る。ＣＰＵ３１は、プラテン識別情報を受け付けた場合には（Ｓ３２：ＹＥＳ）、履歴情報の取得（Ｓ３３）を行う。一例として、ＣＰＵ３１はＳ３２の処理で受け付けたプラテン識別情報と共に履歴情報の取得の要求をサーバ３に送信する（Ｓ３３）。履歴情報の一例は、前処理済情報とエラー情報である。サーバ３のＣＰＵ６１は、関連付けテーブル８０からプラテン識別情報に対応した前処理済情報とエラー情報を特定する。ＣＰＵ６１は特定した前処理済情報とエラー情報を通信部６６を介して印刷装置１に送信する。ＣＰＵ６１は前処理済情報とエラー情報を特定できなかった場合には、前処理済情報無し、または、エラー情報無しを示す情報を印刷装置１に送信する。
【００８９】
次いで、ＣＰＵ３１は、前処理済かを判断する（Ｓ３４）。ＣＰＵ３１はサーバ３から前処理済情報を受信した場合には、前処理済であると判断する（Ｓ３４：ＹＥＳ）。ＣＰＵ３１は、前処理済情報無しの情報を受信した場合には前処理済と判断せず（Ｓ３４：ＮＯ）、エラー処理（Ｓ４７）を行う。以下、前処理済でないエラーを「前処理未処理エラー」という。ＣＰＵ３１は、プラテン識別情報と共にエラー処理の指示をサーバ３に送信する。サーバ３のＣＰＵ６１は、エラー処理として、関連付けテーブル８０のエラー情報に前処理未処理エラーのエラー情報を関連づける。また、ＣＰＵ３１は、プラテン６に載置された印刷媒体７に印刷処理（Ｓ４３）を行わず、プラテン６をプラテン搬送機構９０により後処理装置５に送る。
【００９０】
ＣＰＵ３１は、サーバ３から前処理済情報を受信した場合には、前処理済と判断する（Ｓ３４：ＹＥＳ）。次いで、ＣＰＵ３１は、エラー履歴の有無を判断する（Ｓ３５）。一例として、ＣＰＵ３１は、サーバ３からエラー情報を受信した場合には、エラー履歴が有と判断し（Ｓ３５：ＹＥＳ）、エラー処理（Ｓ４７）を行う。
【００９１】
ＣＰＵ３１は、サーバ３からエラー情報無しを示す情報を受信した場合には、エラー履歴が有と判断しない（Ｓ３５：ＮＯ）。次いで、ＣＰＵ３１は、プラテン識別情報に関連づけられた印刷条件を取得する（Ｓ３６）。印刷条件の一例は、第一メイン処理のＳ７の処理で、作成が指示され、サーバ３から印刷装置１に送信された印刷データである。従って、ＣＰＵ３１は、記憶装置３４に記憶された印刷データをプラテン識別情報に基づいて取得する（Ｓ３６）。ＣＰＵ３１は、プラテン識別情報に対応した印刷データが記憶装置３４に存在しない場合には、プラテン識別情報と印刷データの送信要求信号とをサーバ３に送信する。サーバ３のＣＰＵ６１は、ＨＤＤ６４の関連付けテーブル８０にプラテン識別情報に対応した印刷データが存在した場合には、通信部６６を介して、印刷装置１に印刷データを送信する。次いで、ＣＰＵ３１は、印刷条件を取得できたか判断する（Ｓ３７）。ＣＰＵ３１は、印刷条件を取得できなかった場合には（Ｓ３７：ＮＯ）、エラー処理（Ｓ４７）を行う。
【００９２】
次いで、ＣＰＵ３１は、印刷条件を取得できた場合には（Ｓ３７：ＹＥＳ）、プラテン６の高さは適切かを判断する（Ｓ３８）。例えば、高さが異なる２種類のプラテンがある場合には、ＣＰＵ３１は、プラテン識別情報と印刷条件により、使用されるプラテン６の高さが印刷条件に合っているかを判断する。ＣＰＵ３１は、プラテン６の高さが適切でないと判断した場合には（Ｓ３８：ＮＯ）、エラー処理（Ｓ４７）を行う。ＣＰＵ３１は、プラテン高さが適切であると判断した場合には（Ｓ３８：ＹＥＳ）、プラテン６の実際の高さの検出を行う（Ｓ３９）。一例として、ＣＰＵ３１は、高さセンサ７３によりプラテン６の天面６１１に載置された印刷媒体７を含むプラテン６の高さを検出する。次いで、ＣＰＵ３１は、検出された高さが所定範囲か判断する（Ｓ４０）。印刷装置１において、プラテン６の高さを上下できる範囲は、上下に所定範囲である。一例として、上下に±５ｍｍである。従って、ＣＰＵ３１は、高さセンサ７３により検出された高さが所定範囲内でない場合には（Ｓ４０：ＮＯ）、エラー処理（Ｓ４７）を行う。
【００９３】
ＣＰＵ３１は、高さセンサ７３により検出された高さが所定範囲内であると判断した場合には（Ｓ４０：ＹＥＳ）、プラテン識別情報に高さセンサ７３により検出された高さ情報を記憶し関連づける指示を通信部３９を介してサーバ３に送信する（Ｓ４１）。サーバ３のＣＰＵ６１は、関連付けテーブル８０のプラテン識別情報に対応して、高さ情報を記憶する。次いで、ＣＰＵ３１は、プラテン６の高さ調整を行う（Ｓ４２）。一例として、ＣＰＵ３１は、高さセンサ７３により検出された高さ情報に基づいて、プラテン上下モータ４９を駆動してプラテン６の高さを印刷条件に合う高さに調整する。次いで、ＣＰＵ３１は、プラテン６に載置された印刷媒体７に第一ヘッド４５及び第二ヘッドか４６からインクを吐出して印刷処理を実施する（Ｓ４３）。
【００９４】
Ｓ４３の処理において、印刷処理を完了できない等のエラーが発生したとＣＰＵ３１が判断した場合には（Ｓ４４：ＹＥＳ）、ＣＰＵ３１は、エラー処理を行う（Ｓ４７）。ＣＰＵ３１は、プラテン識別情報と共にエラー処理の指示をサーバ３に送信する。サーバ３のＣＰＵ６１は、エラー処理として、関連付けテーブル８０のエラー情報に印刷処理エラーのエラー情報を関連づける。また、ＣＰＵ３１は、プラテン６に載置された印刷媒体７に印刷処理（Ｓ４３）を行わず、プラテン６をプラテン搬送機構９０により後処理装置５に送る。
【００９５】
ＣＰＵ３１は、印刷処理にてエラーが発生したと判断しない場合には（Ｓ４４：ＮＯ）、プラテン識別情報に印刷処理が完了したことを示す印刷済情報を関連づける（Ｓ４６）。一例として、ＣＰＵ３１は、プラテン識別情報と共に印刷済の情報をサーバ３に送信する（Ｓ４６）。サーバ３のＣＰＵ６１は、関連付けテーブル８０のプラテン識別情報に印刷が完了したことを示す印刷済情報を関連づける（Ｓ４６）。次いで、ＣＰＵ３１は、第三メイン処理を終了する。
【００９６】
図１６を参照し、第四メイン処理について説明する。後処理装置５のＣＰＵ１１１は、ＲＯＭ１１２から第四メイン処理プログラムを読み出し、ＲＡＭ１１３をワーキングメモリとして使用し、第四メイン処理を実行する。第四メイン処理は、例えば、後処理装置５の電源がＯＮになったことをトリガとして開始される。ＣＰＵ１１１は、プラテン識別情報を受け付けたか判断する（Ｓ５２）。一例として、コードリーダ８５により読み取られたプラテン６のプラテン識別情報がＣＰＵ１１１に入力された場合に、ＣＰＵ１１１は、プラテン識別情報を受け付けたと判断する（Ｓ５２：ＹＥＳ）。ＣＰＵ１１１は、所定時間経過してもプラテン識別情報を受付けていないと判断した場合には（Ｓ５２：ＮＯ）、エラー処理（Ｓ６１）を行う。ＣＰＵ１１１は、プラテン６に載置された印刷媒体７に後処理（Ｓ５８）を行わず、プラテン６をプラテン搬送機構９０により着脱位置９０Ｂまで送る。
【００９７】
ＣＰＵ１１１は、プラテン識別情報を受け付けたと判断した場合には（Ｓ５２：ＹＥＳ）、履歴情報の取得（Ｓ５３）を行う。一例として、ＣＰＵ１１１はＳ５２の処理で受け付けたプラテン識別情報と共に履歴情報の取得の要求をサーバ３に送信する（Ｓ５３）。履歴情報の一例は、印刷済情報とエラー情報である。サーバ３のＣＰＵ６１は、関連付けテーブル８０からプラテン識別情報に対応した印刷済情報とエラー情報を特定する。ＣＰＵ６１は特定した印刷済情報とエラー情報を通信部６６を介して後処理装置５に送信する。ＣＰＵ６１は印刷済情報とエラー情報を特定できなかった場合には、印刷済情報無し、または、エラー情報無しを示す情報を後処理装置５に送信する。
【００９８】
次いで、ＣＰＵ１１１は、印刷済であるか判断する（Ｓ５４）。ＣＰＵ１１１は、印刷済情報無しの情報を受信した場合には印刷済と判断せず（Ｓ５４：ＮＯ）、エラー処理（Ｓ６１）を行う。以下、印刷済でないエラーを「印刷未処理エラー」という。ＣＰＵ１１１は、プラテン識別情報と共にエラー処理の指示をサーバ３に送信する。サーバ３のＣＰＵ６１は、エラー処理として、関連付けテーブル８０のエラー情報に印刷未処理エラーのエラー情報を関連づける。また、ＣＰＵ１１１は、後処理装置５による後処理（Ｓ５８）を行わず、プラテン６をプラテン搬送機構９０により着脱位置９０Ｂまで送る。
【００９９】
ＣＰＵ１１１は、サーバ３から印刷済情報を受信した場合には、印刷済と判断する（Ｓ５４：ＹＥＳ）。次いで、ＣＰＵ１１１は、エラー履歴の有無を判断する（Ｓ５５）。一例として、ＣＰＵ１１１はサーバ３からエラー情報を受信した場合には、エラー履歴が有と判断し（Ｓ５５：ＹＥＳ）、エラー処理（Ｓ６１）を行う。
【０１００】
次いで、ＣＰＵ１１１は、サーバ３からエラー情報無しを示す情報を受信した場合には、エラー履歴が有と判断しない（Ｓ５５：ＮＯ）。次いで、ＣＰＵ１１１は、後処理条件を取得する（Ｓ５６）。一例として、ＣＰＵ１１１はＳ５２の処理で受け付けたプラテン識別情報と共に後処理条件の要求指示をサーバ３に送信する（Ｓ５６）。サーバ３のＣＰＵ６１は、関連付けテーブル８０からプラテン識別情報に対応した印刷媒体情報を特定する。次いで、ＣＰＵ６１は、関連付けテーブル８０のプラテン識別情報ＰＩＤ３に対応した印刷媒体情報ＩＤ３を特定する。次いで、ＣＰＵ６１は、第三テーブル８３において、印刷媒体情報ＩＤ３に対応する後処理条件を特定する。後処理条件の一例は、熱処理時間と熱処理温度である。ＣＰＵ６１は特定した後処理条件を通信部６６を介して後処理装置５に送信する。ＣＰＵ６１は後処理条件を特定できなかった場合には、後処理条件無しを示す情報を後処理装置５に送信する。
【０１０１】
次いで、ＣＰＵ１１１は、後処理条件を取得したか判断する（Ｓ５７）。ＣＰＵ１１１は、後処理条件をサーバ３から取得した場合には（Ｓ５７：ＹＥＳ）、取得した後処理条件で、後処理を実施する（Ｓ５８）。ＣＰＵ１１１は、後処理条件を取得できない場合には（Ｓ５７：ＮＯ）、エラー処理（Ｓ６１）を行う。ＣＰＵ１１１は、エラー処理として、後処理装置５による後処理を行わず、プラテン６をプラテン搬送機構９０により着脱位置９０Ｂまで送る。
【０１０２】
次いで、ＣＰＵ１１１は、後処理が完了かを判断する（Ｓ５９）。ＣＰＵ１１１は、後処理が完了できない場合には（Ｓ５９：ＮＯ）、エラー処理（Ｓ６１）を行う。ＣＰＵ１１１は、後処理が完了したと判断した場合には（Ｓ５９：ＹＥＳ）、関連付けテーブル８０のプラテン識別情報に対して印刷媒体情報の関連づけを削除する指示をサーバ３に送信する（Ｓ６０）。サーバ３のＣＰＵ６１は、関連付けテーブル８０のプラテン識別情報に対して印刷媒体情報の関連づけを削除する。また、ＣＰＵ６１は、エラー情報、処理済み情報、印刷データ、高さ情報を削除する。その後、ＣＰＵ１１１は、第四メイン処理を終了する。
【０１０３】
＜実施形態の作用効果＞
以上説明したように上記実施の形態では、以下の作用効果を奏することができる。ＣＰＵ１１，３１，１１１は、コードリーダ２７，３５，８５で受け付けたプラテン識別情報に基づき、前処理装置１０、後処理装置５、または印刷装置１における処理（Ｓ２３，Ｓ４３，Ｓ５８）を行うことができる。従って、プラテン６に対して、適切な処理を行うことができる。適切な処理の一例は、プラテン６に載置された印刷媒体７に対して、正しい塗布条件及び熱処理条件による前処理、正しい印刷データ及び正しい印刷条件による印刷処置、又は、正しい熱処理条件による後処理が行われることである。
【０１０４】
また、ＣＰＵ１１，３１，１１１は、コードリーダ２７，３５，８５が受け付けたプラテン識別情報に関連づいた印刷内容又は処理内容の少なくとも何れかによる処理（Ｓ２３，Ｓ４３，Ｓ５８）を行うことができる。従って、セットされたプラテン６に対して、上記の適切な処理を行うことができる。
【０１０５】
また、関連付け処理（Ｓ６）によりプラテン識別情報（ＰＩＤ１〜ＰＩＤ３・・・）と印刷媒体情報（ＩＤ１〜ＩＤ３・・・）とが関連づけられるので、ＣＰＵ１１，３１，１１１は、プラテン識別情報（ＰＩＤ１〜ＰＩＤ３）に基づいて印刷媒体情報（ＩＤ１〜ＩＤ３）を特定し、印刷媒体情報に対応した印刷内容又は処理内容の少なくとも何れかによる処理（Ｓ２３，Ｓ４３，Ｓ５８）を行うことができる。従って、セットされたプラテン６に対して、上記の適切な処理が行われる。
【０１０６】
また、ＣＰＵ１１，３１，１１１は、プラテン識別情報（ＰＩＤ１〜ＰＩＤ３・・・）から得たプラテン情報に対応した前処理装置１０及び後処理装置５または印刷装置１における処理（Ｓ２３，Ｓ４３，Ｓ５８）を行うことができる。
【０１０７】
また、ＣＰＵ１１は、印刷媒体情報（ＩＤ１〜ＩＤ３）とプラテン識別情報（ＰＩＤ１〜ＰＩＤ３・・・）とに含まれるプラテン情報により、前処理装置１０及び後処理装置５または印刷装置１における処理の実施を判断することができる（Ｓ１９、Ｓ３８）。従って、プラテンに対して、上記の適切な処理が行われる可能性を高くすることができる。
【０１０８】
印刷サイズがプラテンサイズよりも大きい場合に（Ｓ１９：ＹＥＳ）、ＣＰＵ１１は、エラー処理（Ｓ１７）を行うことにより、前処理装置１０，後処理装置５または印刷装置１でエラーとなる可能性を低減することができる。
【０１０９】
コードリーダ２７，３５，８５が、印刷媒体情報（ＩＤ１〜ＩＤ３・・・）と関連づけられていないプラテン識別情報を受け付けた場合、前処理装置１０，後処理装置５または印刷装置１における処理が行われない。従って、印刷媒体情報（ＩＤ１〜ＩＤ３・・・）と関連づけられていないプラテン識別情報を有するプラテン６に対して、前処理装置１０及び後処理装置５における処理、または印刷装置１における印刷が実行されることを防止することができる。従って、印刷媒体７への印刷不良又は前処理装置１０及び後処理装置５における処理の不良を低減できる。
【０１１０】
前処理装置１０，後処理装置５または印刷装置１における処理において、エラーが発生した場合には（Ｓ２４：ＹＥＳ，Ｓ４４：ＹＥＳ、Ｓ５９：ＮＯ）、プラテン識別情報（ＰＩＤ１〜ＰＩＤ３・・・）にエラー情報を関連づけるエラー関連付け処理がエラー処理（Ｓ２５、Ｓ４７、Ｓ６１）が行われる。従って、コードリーダ２７，３５，８５が、エラー情報と関連づけられているプラテン識別情報を受け付けた場合（Ｓ３５：ＹＥＳ，Ｓ５５：ＹＥＳ）、印刷装置１、または後処理装置５における処理が行われない（Ｓ４７，Ｓ６１）。従って、前処理装置１０、または印刷装置１における処理において、エラーが発生した印刷媒体７に以後の処理が行われることを防止できる。
【０１１１】
ＣＰＵ１１１は、後処理（Ｓ５８）が完了した場合（Ｓ５９：ＹＥＳ）に、印刷媒体情報（ＩＤ１〜ＩＤ３・・・）のプラテン識別情報（ＰＩＤ１〜ＰＩＤ３・・・）に対する関連付けを削除する削除処理（Ｓ６０）を行うことにより、プラテン識別情報を新設することなく新たな印刷媒体情報と関連づけさせることができる。
【０１１２】
プラテン搬送機構９０によりプラテン６を前処理装置１０、印刷装置１、及び後処理装置５間で搬送する場合でも、コードリーダ２７，３５，８５は、搬送されるプラテン６からプラテン識別情報を受け付けることができる。
【０１１３】
ＣＰＵ１１，３１，１１１は、プラテン識別情報と、高さセンサ７３が検出した高さに基づく高さ情報とを関連づける高さ関連付け処理（Ｓ４１）を行うので、プラテン識別情報によりプラテンの高さが特定され、処理に利用される。
【０１１４】
ＣＰＵ１１，３１，１１１は、高さセンサ７３が検出したプラテン６の高さが所定の範囲内でない場合（Ｓ４０：ＮＯ）、印刷装置１または後処理装置５における処理を行わない（Ｓ４７）。従って、高さが所定の範囲内でないプラテン６に印刷装置１または後処理装置５における処理が行われることを防止して、印刷不良が発生する可能性を低減することができる。
【０１１５】
高さセンサ７３が検出した高さに基づいて、ＣＰＵ３１が高さ調整処理（Ｓ４２）を行うことにより、プラテンの高さを印刷処理に適した高さに調整することができる。従って、印刷不良が発生する可能性を低減することができる。
【０１１６】
コードリーダ６９が印刷媒体情報７１を受け付けた場合に、サーバ３のＣＰＵ６１は、印刷データの作成を開始する（Ｓ７）。従って、印刷装置１で使用される印刷データを予め作成し、印刷装置１に送信、又はサーバ３で保持しておくことにより、印刷装置１で印刷データを作成する必要を無くし、処理時間を短縮することができる。
【０１１７】
印刷装置１のコードリーダ３５が受け付けたプラテン識別情報により、ＣＰＵ３１は、予め作成された印刷データを取得することができる（Ｓ３６）。従って、印刷データの取得が容易にできる。
【０１１８】
プラテン６のプラテン識別情報部６０８は、前処理装置１０，後処理装置５または印刷装置１における処理と関連づき、プラテン６を識別するプラテン識別情報を示すことができる。
【０１１９】
前処理装置１０及び後処理装置５が本発明の「関連装置」の一例である。コードリーダ２７，３５，８５が本発明の「第一受付部」の一例である。コードリーダ６９が本発明の「第二受付部」の一例である。コードリーダ６８が本発明の「第三受付部」の一例である。ＣＰＵ１１，３１，１１１が、本発明の「第一処理部」及び「第二処理部」の一例である。プラテン識別情報部６０８が本発明の「プラテン識別情報部」の一例である。ＰＩＤ１〜ＰＩＤ３が、本発明の「プラテン識別情報」の一例である。ＣＰＵ５１が本発明の「第一制御部」の一例である。Ｓ６の処理が、本発明の「関連付け処理」の一例である。前処理装置１０、印刷装置１、後処理装置５が、本発明の処理装置の一例である。ＨＤＤ６４が本発明の「入力データ記憶部」の一例である。
【０１２０】
次に、図１７及び図１８を参照して、コードリーダ６９から印刷媒体情報を取得できない場合の処理について説明する。端末装置２のＣＰＵ５１が、コードリーダ６９から印刷媒体情報を取得できない場合には、作業者のＰＣにより印刷媒体情報が作成される。以下、作業者のＰＣによる印刷媒体情報の作成を説明する。なお、作業者のＰＣは、端末装置２であっても他のＰＣでもよい。第一メイン処理よりも前に予め作業者のＰＣのＣＰＵは、コードリーダにより印刷媒体７のプラテン識別情報、印刷媒体情報を読み取る。（Ｓ７１）。次に、作業者のＰＣのＣＰＵは、印刷媒体情報に関連付けられている前処理の塗布条件、熱処理条件、印刷データ、後処理の熱処理条件を取得する（Ｓ７２）。一例として、作業者の入力により取得する。次に、作業者の操作により、作業者のＰＣのＣＰＵは、入力データ記憶部用のテキストファイルを作成する（Ｓ７３）。次に、作業者のＰＣのＣＰＵは、印刷処理システム１００が監視している入力データ記憶部に作成したテキストファイル８４を保存する（Ｓ７４）。従って、コードリーダ６９から印刷媒体情報が取得できない場合にも、入力データ記憶部に入稿された前処理の塗布条件、熱処理条件、印刷データ、後処理の熱処理条件により処理及び印刷を行うことができる。ＨＤＤ６４が「入力データ記憶部」の一例である。
【０１２１】
本発明は上記実施形態に限らず各種の変形が可能である。例えば、プラテン識別情報部６０８の位置は、プラテン６の側面に限られない。前面６０４、後面６０５、下面６０７等、印刷媒体７により隠れない位置ならどこでもよい。また、プラテン識別情報部６０８は、ＮＦＣ(Near Field Communication)で構成されてもよい。また、プラテン識別情報部６０８は、複数の遮蔽板で構成され、プラテン識別情報が光センサで検出されるようにしてもよい。また、プラテン識別情報部６０８は、複数の凹凸で構成され、プラテン識別情報がスイッチ、もしくは、光センサで検出されるようにしてもよい。また、プラテン識別情報は、前処理装置１０の操作部２２、印刷装置１の操作部３６、後処理装置５の操作部１２２、端末装置２の操作部５５から入力され各ＣＰＵで受け付けられてもよい。印刷媒体情報も端末装置２の操作部５５から入力されＣＰＵ５１で受け付けられてもよい。また、プラテン６の種類は２種類に限られない、例えば、高さの異なる３種類、５種類等でもよい。また、プラテン６は、布帛用以外に、帽子用、靴用等でもよい。
【０１２２】
また、プラテン識別情報と、印刷媒体情報と、エラー情報と、印刷データと、高さ情報の関連付けは、ＡＰＩ（Application Programming Interface）で行われてもよい。また、Ｓ６０の関連付けの削除処理時に、プラテン識別情報と、印刷媒体情報と、エラー情報と、印刷データと、高さ情報との関連付けのデータは、ＨＤＤ６４に保存されてもよい。この場合には、印刷された印刷媒体７に不良が発生した場合に、不良の原因をトレースすることができる。
【０１２３】
また、プラテン搬送機構９０により着脱位置９０Ｂまで搬送されたプラテン６を、装着位置９０Ａまで戻す搬送路を設けて、自動で戻すようにしてもよい。さらに、第一〜第四メイン処理は、端末装置２のＣＰＵ５１が全て行いネットワーク４を介して、前処理装置１０、印刷装置１、後処理装置５、サーバ３を制御しても良い。また、第一〜第四メイン処理は、前処理装置１０、印刷装置１、後処理装置５、及びサーバ３の何れかのＣＰＵが全て行いネットワーク４を介して他の装置を制御してもよい。また、前処理装置１０、印刷装置１、後処理装置５は、全て設けられなくてもよい。前処理装置１０と印刷装置１の組み合わせ、または、印刷装置１の後処理装置５の組み合わせでも本発明は適用できる。また、印刷装置１は、複数台、直列に設けられてもよい。また、前処理装置１０，印刷装置１，及び後処理装置５は、各々、コードリーダ２７，３５，８５を備えなくてもよい。また、高さセンサ７３は、印刷装置１だけでなく、前処理装置１０または後処理装置５に設けられてもよい。また、第一〜第四メイン処理の各ステップは、全て行われなくてもよい。印刷処理システム１００の装置の構成により必要に応じて適宜行われればよい。関連付けテーブル８０、第一テーブル８１、第二テーブル８２及び第三テーブル８３は、サーバ３以外に記憶されていてもよい。また、第一メイン処理〜第四メイン処理は、各々、装置のＣＰＵが実行するのではなく、印刷処理システム１００を制御する特定のＣＰＵが実行してもよい。
【０１２４】
また、高さセンサ７３の発光部７３Ａ及び受光部７３Ｂは、プラテン６が搬送される経路の上方に設けられてもよい。この場合には、発光部７３Ａから光が下方進む。プラテン６に載置された印刷媒体７の上面で反射した光が受光部７３Ｂに入射して高さが検出される。また、サーバ３で作成されたラスタ形式の印刷データは、サーバ３のＨＤＤ６４に保持されてもよい。この場合には、印刷装置１のコードリーダ３５がプラテン識別情報を読み取り、ＣＰＵ３１の要求により、印刷データがサーバ３から印刷装置１に送られてもよい。また、プラテン識別情報と印刷媒体情報とが関連づけられて、前処理装置、印刷装置、後処理装置での処理が行われる以外にも、プラテン識別情報の有無により、前処理装置、印刷装置、後処理装置での処理が行われるか否かが決定されてもよい。プラテン６にプラテン識別情報部６０８が設けられていない場合には、プラテン６の高さが、前処理装置１０、印刷装置１、又は後処理装置５に適していない可能性がある。また、プラテン６が熱処理に耐えられない可能性がある。従って、コードリーダ６８により、プラテン識別情報部６０８が読み取れない場合には、プラテン６に載置された印刷媒体７に対して前処理、印刷処理、及び後処理が行われず、プラテン６が着脱位置９０Ｂまで搬送されてもよい。なお、プラテン識別情報にエラー情報を関連づけるエラー関連付け処理は必ずしも行われなくてもよい。
【符号の説明】
【０１２５】
１  印刷装置
２  端末装置
３  サーバ
５  後処理装置
６、６Ａ、６Ｂ  プラテン
７  印刷媒体
１０  前処理装置
２７、３５、６８、６９、８５  コードリーダ
１１、３１、５１、６１、１１１  ＣＰＵ
７１  印刷媒体情報
７３  高さセンサ
７３Ａ  発光部
７３Ｂ  受光部
８０  関連付けテーブル
８１  第一テーブル
８２  第二テーブル
８３  第三テーブル
９０  プラテン搬送機構
９０Ａ  装着位置
９０Ｂ  着脱位置
１００  印刷処理システム
６０８  プラテン識別情報部
【図１】
2019209587.tif 000003
【図２】
2019209587.tif 000004
【図３】
2019209587.tif 000005
【図４】
2019209587.tif 000006
【図５】
2019209587.tif 000007
【図６】
2019209587.tif 000008
【図７】
2019209587.tif 000009
【図８】
2019209587.tif 000010
【図９】
2019209587.tif 000011
【図１０】
2019209587.tif 000012
【図１１】
2019209587.tif 000013
【図１２】
2019209587.tif 000014
【図１３】
2019209587.tif 000015
【図１４】
2019209587.tif 000016
【図１５】
2019209587.tif 000017
【図１６】
2019209587.tif 000018
【図１７】
2019209587.tif 000019
【図１８】
2019209587.tif 000020